(57)【特許請求の範囲】
【請求項１】
複数のサブキャリアからなる第一のマルチキャリア信号を第一の無線通信装置から受信する受信手段と、
前記複数のサブキャリアのうち一部のサブキャリアを選択するサブキャリア選択手段と、
前記サブキャリア選択手段での選択結果に従って、前記一部のサブキャリアに割り当てられたサブキャリア信号を前記第一のマルチキャリア信号から抽出する抽出手段と、
前記サブキャリア信号を含む第二のマルチキャリア信号を第二の無線通信装置に送信する送信手段と、を具備し、
前記サブキャリア選択手段は、前記第二の無線通信装置における受信品質が所定品質より低いサブキャリアを選択する、
無線通信装置。
【請求項２】
前記送信手段は、前記サブキャリア信号を、前記第一のマルチキャリア信号におけるマッピングと同一のマッピングにて、前記第二のマルチキャリア信号を構成するサブキャリアに割り当てる、
請求項１記載の無線通信装置。
【請求項３】
前記送信手段は、前記第二の無線通信装置における受信品質が所定品質より高いサブキャリアに前記サブキャリア信号を割り当てる、
請求項１記載の無線通信装置。
【請求項４】
前記サブキャリア選択手段は、複数のフレームにおいて前記一部のサブキャリアを選択し、
前記抽出手段は、前記複数のフレームにおいて前記一部のサブキャリアに割り当てられたサブキャリア信号を抽出し、
前記送信手段は、各フレームにおいて抽出された複数のサブキャリア信号をそれぞれ異なるサブキャリアに割り当てる、
請求項１記載の無線通信装置。
【請求項５】
前記サブキャリア選択手段は、担当サブキャリアにおいて前記一部のサブキャリアを選択する、
請求項１記載の無線通信装置。
【請求項６】
前記送信手段は、他の無線通信装置と同期をとって前記第二のマルチキャリア信号を送信する、
請求項１記載の無線通信装置。
【請求項７】
所定の周期または所定のタイミングで前記第二のマルチキャリア信号にパイロット信号を挿入するか否かを選択するパイロット選択手段、をさらに具備する、
請求項１記載の無線通信装置。
【請求項８】
複数のサブキャリアからなる第一のマルチキャリア信号を第一の無線通信装置から受信する受信ステップと、
前記複数のサブキャリアのうち一部のサブキャリアを選択するサブキャリア選択ステップと、
前記サブキャリア選択ステップでの選択結果に従って、前記一部のサブキャリアに割り当てられたサブキャリア信号を前記第一のマルチキャリア信号から抽出する抽出ステップと、
前記サブキャリア信号を含む第二のマルチキャリア信号を第二の無線通信装置に送信する送信ステップと、を具備し、
前記サブキャリア選択ステップは、前記第二の無線通信装置における受信品質が所定品質より低いサブキャリアを選択する、
無線通信方法。
【発明の詳細な説明】
【技術分野】
【０００１】
本発明は、無線通信装置および無線通信方法に関し、特に、ＯＦＤＭ（Orthogonal Frequency Division Multiplex）方式等のマルチキャリア伝送を利用した通信網における無線通信装置および無線通信方法に関する。
【背景技術】
【０００２】
近年、携帯電話機等に代表されるセルラ移動体通信システムにおいては、情報のマルチメディア化に伴い、音声データのみならず、静止画像、動画像等の大容量データを伝送することが一般化しつつある。大容量データの伝送を実現するために、高周波の無線帯域を利用し、高伝送レートを実現するアプローチが盛んに検討されている。
【０００３】
しかし、高周波の無線帯域を利用した場合、近距離では、高伝送レートを期待できる一方、伝送距離による減衰が大きい。このため、例えば実システムへ展開する場合、基地局のカバーエリアが小さくなり、より多くの基地局を設置する必要が生じる。基地局の設置には相応のコストがかかるため、基地局数の増加を抑制しつつ、通信サービスを実現する技術が強く求められている。
【０００４】
これに関連した従来技術としては、例えば、特許文献１のような技術がある。この特許文献１の従来技術では、基地局と移動局との間に形成されるセルラ専用無線チャネルによる通信網と、移動局間で形成されるアドホック網との双方を利用して、受信信号を合成することによりダイバーシティ効果の向上を図っている。
【特許文献１】特開２００１−１８９９７１号公報
【発明の開示】
【発明が解決しようとする課題】
【０００５】
しかしながら、特許文献１に示す従来技術では、アドホック網を形成する移動局は、自局で必要な処理をしつつ、他の移動局へ中継するための処理を伴うため、消費電力が増大するという問題がある。
【０００６】
本発明の目的は、中継を行う無線通信装置の消費電力の増加を抑えることを可能にする無線通信装置および無線通信方法を提供することである。
【課題を解決するための手段】
【０００７】
本発明の態様の一つに係る無線通信装置は、複数のサブキャリアからなる第一のマルチキャリア信号を第一の無線通信装置から受信する受信手段と、前記複数のサブキャリアのうち一部のサブキャリアを選択するサブキャリア選択手段と、前記サブキャリア選択手段での選択結果に従って、前記一部のサブキャリアに割り当てられたサブキャリア信号を前記第一のマルチキャリア信号から抽出する抽出手段と、前記サブキャリア信号を含む第二のマルチキャリア信号を第二の無線通信装置に送信する送信手段と、を具備する構成を採る。
【０００８】
この構成によれば、第一の無線通信装置から送信されたマルチキャリア信号をサブキャリアごとに選択して中継することができるので、全てのサブキャリアを中継する場合と比較して送信データ量が減少し、中継送信を行う無線通信装置の送信電力を低減することができる。
【発明の効果】
【０００９】
本発明によれば、中継送信する無線通信装置の消費電力の増加を抑えることができる。
【発明を実施するための最良の形態】
【００１０】
以下、本発明の実施の形態について、添付図面を参照して詳細に説明する。以下に説明する無線通信装置は、第一の無線通信装置から受信したマルチキャリア信号を第二の無線通信装置に送信する無線通信装置であって、例えば、移動体通信システムにおいて使用される無線中継局装置に搭載されるものである。
【００１１】
以下では、本発明の無線通信装置を中継局装置、第一の無線通信装置を基地局装置、第二の無線通信装置を移動局装置として説明する。
【００１２】
（実施の形態１）
図１に示すように、本実施の形態に係る移動体通信システムは、移動局装置１００と中継局装置１５０と基地局装置２００とからなる。
【００１３】
基地局装置２００は、予め中継局装置１５０に対して、移動局装置１００への信号中継の指示をしているものとする。また、基地局装置２００は、移動局装置１００および中継局装置１５０の各識別情報の対応情報を保持し、中継局装置１５０は中継すべき対象となる移動局装置１００の識別情報を保持しているものとする。また、移動局装置１００においても、中継局装置１５０の識別情報を保持しても良い。
【００１４】
次に、図２に示すシーケンス図を用いて全体処理について説明する。
【００１５】
基地局装置２００は、移動局装置１００および中継局装置１５０にマルチキャリア信号を送信する（処理（１）、（２））。移動局装置１００は基地局装置２００から受信したマルチキャリア信号を構成するサブキャリア毎に、受信品質をレベル化したチャネル情報を生成する。本実施形態では、受信品質として受信強度レベルを用いた例を示す。次に移動局装置１００は、生成したチャネル情報を基地局装置２００に通知する（処理（３））。基地局装置２００は、通知されたチャネル情報を、中継局装置１５０が移動局装置１００へ中継データを送信するのに先立って、中継局装置１５０に通知する（処理（４））。中継局装置１５０は、基地局装置２００から受信したマルチキャリア信号のうち、通知されたチャネル情報に基づき、所定のレベルより受信品質が低いサブキャリアを選択し、処理（２）で受信した移動局装置１００宛のマルチキャリア信号から当該選択されたサブキャリアに対応するサブキャリア信号を抽出し、マルチキャリア信号として移動局装置１００に中継送信する（処理（５））。
【００１６】
次に、移動局装置１００および中継局装置１５０での受信信号の受信強度レベルを示した例を図３Ａ〜Ｄに示す。なお、図３Ａ〜Ｄにおいて横軸の数字１〜８はサブキャリア番号を示し、マルチキャリア信号がサブキャリア１〜８で構成される例を示す。以下の実施の形態においても同様である。
【００１７】
図３Ａは、図２の処理（１）において、基地局装置２００から移動局装置１００へ送信された信号におけるサブキャリア毎の受信強度レベル、図３Ｂは、図２の処理（２）において、基地局装置２００から中継局装置１５０へ送信された信号におけるサブキャリア毎の受信強度レベル、図３Ｃは、図２の処理（５）において、中継局装置１５０から移動局装置１００へ送信された信号におけるサブキャリア毎の受信強度レベル、図３Ｄは、移動局装置１００における合成後のサブキャリア毎の受信強度レベルをそれぞれ示している。周波数選択性フェージング伝搬路の影響により、サブキャリア毎に受信強度レベルが異なっている。
【００１８】
図３Ａに示す信号のうち、受信品質が低い（目標受信強度レベルに達していない）サブキャリアとして５番目と７番目のサブキャリアが選択される。中継局装置１５０は、この選択結果に従い、図３Ｂに示す受信信号のうち、図３Ｃに示すように、５番目と７番目のサブキャリアのみ中継送信を行う。移動局装置１００は、図２の処理（１）で受信した図３Ａに示す信号と、図２の処理（５）で受信した図３Ｃに示す信号とを合成して、図３Ｄに示す信号を得る。
【００１９】
次に、移動局装置１００、中継局装置１５０、基地局装置２００の構成について説明す
る。
【００２０】
図４は本実施の形態に係る移動局装置１００の構成を示すブロック図である。本実施の形態に係る移動局装置１００は、アンテナ１８と、無線信号を受信する無線受信部１９と、ガードインターバル（ＧＩ）を除去するＧＩ除去部２０と、ＦＦＴ処理を行うＦＦＴ部２１と、Ｐ／Ｓ変換を行うＰ／Ｓ部２２と、チャネル推定を行うチャネル推定部２３と、受信信号の復調を行う復調部２４と、復調された信号を合成する合成部２７と、復号を行う復号部２５と、チャネル情報を生成するチャネル情報生成部２６と、符号化を行う符号化部１１と、変調を行う変調部１２と、Ｓ／Ｐ変換を行うＳ／Ｐ部１３と、ＩＦＦＴ処理を行うＩＦＦＴ部１４と、ＧＩを挿入するＧＩ挿入部１５と、無線信号を送信する無線送信部１６とからなる。
【００２１】
次に、図４に示す移動局装置１００の処理について説明する。処理は受信処理と送信処理に大別される。
【００２２】
まず、受信処理について説明する。アンテナ１８は基地局装置２００、または、中継局装置１５０等の他の移動局からの無線信号を受信する。無線受信部１９では、受信した信号に対して、ダウンコンバートなどの無線処理を行い、ベースバンド信号を得る。ＧＩ除去部２０では、ガードインターバルを除去する。ＦＦＴ部２１ではＦＦＴ処理を行い、受信信号を時間領域から周波数領域に変換し、各サブキャリアの受信信号をＰ／Ｓ部２２へ入力する。Ｐ／Ｓ部２２ではパラレルシリアル変換を行う。パラレルシリアル変換された受信信号は、チャネル推定部２３、復調部２４、チャネル情報生成部２６に入力される。チャネル情報生成部２６の処理については後述する。チャネル推定部２３ではサブキャリアごとの伝搬路を推定し、伝搬路推定値を生成する。伝搬路推定値は、復調部２４に入力される。復調部２４では、入力された受信信号を伝搬路推定値で除算することにより、伝搬路による振幅変動および位相変動の影響による誤差を低減して信号を復調する。合成部２７では基地局装置２００から送信された信号と、中継局装置１５０から送信された信号とを合成する。合成された信号は復号部に入力される。復号部２５では受信信号の復号を行い、受信データを出力する。
【００２３】
次に、チャネル情報生成部２６の処理の詳細について、図５のフローチャートを用いて説明する。ＳＴ（ステップ）１０１では、受信信号の中からパイロット信号を抽出する。ＳＴ１０２では、受信信号が、基地局からの信号か中継局からの信号かを判定し、受信信号が基地局からの信号であれば、ＳＴ１０３にて、抽出したパイロット信号からサブキャリア毎の受信強度レベルを測定する。ステップ１０４では、移動局における基地局からの信号のチャネル情報を生成する。
【００２４】
次に、送信処理について説明する。符号化部１１では入力される時系列の送信データまたはチャネル情報にターボ符号などの符号化を行い、符号化した送信信号を変調部１２へ入力する。なお、送信データとチャネル情報のどちらを符号化処理するかは、それぞれの信号の送信タイミングに依存し、図示せぬ制御部により制御される。変調部１２では送信データに対してＱＰＳＫや１６ＱＡＭなどの変調を行う。変調された送信データはＳ／Ｐ部１３へ入力される。Ｓ／Ｐ部１３では、送信信号に対してシリアルパラレル変換を行う。シリアルパラレル変換された送信信号は、ＩＦＦＴ部１４に入力される。ＩＦＦＴ部１４では、ＩＦＦＴ処理を行い周波数領域の信号を時間領域に変換する。時間領域に変換された送信信号はＧＩ挿入部１５へ入力される。ＧＩ挿入部１５では、送信信号にガードインターバルを挿入する。ガードインターバルは、１フレームの末尾の部分をフレーム先頭にコピーする形で挿入される。ガードインターバルが付加された送信信号は無線送信部１６へ入力される。無線送信部１６では、送信信号に対してアップコンバートなどの無線処理が行われ、無線処理後の送信信号がアンテナ１８から送信される。
【００２５】
図６は本実施の形態に係る中継局装置１５０の構成を示すブロック図である。図４と同一の構成には同一の符号を付し説明を省略する。本実施の形態に係る中継局装置１５０は、アンテナ１８と、無線信号を受信する無線受信部１９と、ＧＩを除去するＧＩ除去部２０と、ＦＦＴ処理を行うＦＦＴ部２１と、Ｐ／Ｓ変換を行うＰ／Ｓ部２２と、チャネル推定を行うチャネル推定部２３と、受信信号の復調を行う復調部２４と、復号を行う復号部２５と、中継するサブキャリア信号を抽出する中継処理部３７と、ＩＦＦＴ処理を行うＩＦＦＴ部１４−２と、ガードインターバルを挿入するＧＩ挿入部１５−２と、無線信号を送信する無線送信部１６−２と、符号化を行う符号化部３６と、変調を行う変調部１２と、Ｓ／Ｐ変換を行うＳ／Ｐ部１３と、ＩＦＦＴ処理を行うＩＦＦＴ部１４−１と、ガードインターバルを挿入するＧＩ挿入部１５−１と、無線信号を送信する無線送信部１６−１とからなる。
【００２６】
次に中継処理部３７の構成と処理の詳細について説明する。中継処理部３７は、受信信号からチャネル情報を抽出するチャネル情報抽出部３１と、中継するサブキャリアを選択するサブキャリア選択部３２と、サブキャリア選択部３２が選択したサブキャリアの情報を格納するサブキャリア選択情報格納部３４と、サブキャリア選択部３２が選択したサブキャリア信号をサブキャリア選択情報格納部３４に格納された情報に従って中継データから抽出する中継データ抽出部３３と、サブキャリアを割り当てるサブキャリア割当部３５とからなる。
【００２７】
次に、中継処理部３７の処理について図７のフローチャートを用いて説明する。
【００２８】
ＳＴ（ステップ）１５１では、チャネル情報抽出部３１は、Ｐ／Ｓ部２２から入力された信号（基地局装置２００から受信した信号）からチャネル情報を抽出する。このチャネル情報は基地局装置２００から送信された信号の移動局装置１００におけるチャネル情報であり、中継局装置１５０は、基地局装置２００から、チャネル情報と共に、そのチャネル情報を生成した移動局装置１００の識別情報も受信する。抽出されたチャネル情報はサブキャリア選択部３２に入力される。
【００２９】
ＳＴ１５２では、サブキャリア選択部３２は、抽出されたチャネル情報に基づいて、所定の目標受信強度レベルより受信強度レベルが低いサブキャリアを選択する。例えば、図３Ａのようなチャネル情報が与えられた場合は、５番目と７番目のサブキャリアの受信品質が低いので、５番目と、７番目のサブキャリアを特定するための情報が選択サブキャリア情報として生成される。
【００３０】
ＳＴ１５３では、そのサブキャリア選択結果を移動局装置１００の識別情報毎に、サブキャリア選択情報（選択されたサブキャリアの識別情報等）としてサブキャリア選択情報格納部３４に格納する。
【００３１】
ＳＴ１５４では、中継データ抽出部３３は、サブキャリア選択情報格納部３４から中継先の移動局装置１００の識別情報と合致するサブキャリア選択情報を取得し、取得したサブキャリア選択情報に基づき、中継送信するサブキャリア信号を抽出し、サブキャリア割当部３５に入力する。
【００３２】
ＳＴ１５５では、サブキャリア割当部３５は、中継送信するサブキャリア信号を各サブキャリアに割り当てる。本例では、サブキャリア割当部３５は、中継局装置１５０が受信するマルチキャリア信号におけるマッピングと同一のマッピングにて、中継送信するサブキャリア信号を各サブキャリアに割り当てる。つまり、抽出されたサブキャリア信号をサブキャリアへの割り当てを変えずに各サブキャリアに割り当てる。これにより、移動局装
置１００において、基地局装置２００から送信された信号と中継局装置１５０により中継された信号との合成を容易に行うことができる。
【００３３】
図８は本実施の形態に係る基地局装置２００の構成を示すブロック図である。図４と同一の構成には同一の符号を付し説明を省略する。本実施の形態に係る基地局装置２００は、移動局装置１００または中継局装置１５０からのデータ信号および移動局装置１００からのチャネル情報を受信し、中継局装置１５０宛の送信データ、移動局装置１００宛の送信データおよび中継局装置１５０宛のチャネル情報とそのチャネル情報を生成した移動局装置１００の識別情報を送信する。
【００３４】
次に、基地局装置２００のチャネル情報抽出部４１および中継管理部４２の処理について図９のフローチャートを用いて詳細に説明する。
【００３５】
ＳＴ（ステップ）２０１では、チャネル情報抽出部４１は、図６の中継局装置１５０のチャネル情報抽出部３１と同様に、受信信号の中から、チャネル情報を抽出する。そして、受信信号がチャネル情報であるかどうか判定する。受信信号がチャネル情報でない場合は、中継は行わない。受信信号がチャネル情報である場合は、ＳＴ２０２に進む。
【００３６】
ＳＴ２０２では、チャネル情報抽出部４１における抽出処理を行う。
【００３７】
ＳＴ２０３では、中継管理部４２において管理されている、どの中継局がどの移動局の中継を行っているかという情報からチャネル情報の宛先となる中継局装置１５０を指定する。
【００３８】
次に、中継先を指定されたチャネル情報はＳ／Ｐ部１３に入力され、送信処理が行われた後、中継局装置１５０に送信される。
【００３９】
このように本実施の形態では、中継局装置１５０が中継するサブキャリアを、移動局装置１００−基地局装置２００間における受信品質が低いサブキャリア（すなわち、ダイバーシティ効果が必要なサブキャリア）に限定するので、すべてのサブキャリアを中継する場合と比較して中継局装置１５０の送信電力を低減することができる。
【００４０】
また、移動局装置１００においては、基地局装置２００から送信される信号と中継局装置１５０から送信される信号とを合成して受信することができるため、受信品質が向上し、ビット誤り率の低減、あるいは、より高いデータレートでの通信が可能となる。
【００４１】
なお、本実施の形態ではチャネル情報は移動局装置１００から基地局装置２００に送信され、基地局装置２００から中継局装置１５０に中継されているが、移動局装置１００から直接中継局装置１５０に送信しても良い。
【００４２】
また、本実施の形態ではチャネル情報を移動局装置１００で生成したが、基地局装置２００で受信品質を利用して生成するようにしても良い。
【００４３】
また、本実施の形態では、中継データの送信に利用するチャネル情報は、該当フレームのチャネル情報であったが、何フレームか前のチャネル情報を利用しても良い。
【００４４】
また本実施の形態では、チャネル情報と送信信号とは別々に送信されていたが、同じフレームで送信しても良い。
【００４５】
また、ＴＤＤ−ＯＦＤＭの場合、基地局装置２００において、移動局装置１００から基
地局装置２００に送信される上りリンクの信号の受信品質からチャネル情報を作成して中継局装置１５０に送信しても良い。
【００４６】
また、本実施の形態では、受信品質として受信強度を用いたが、ＳＩＲ、ＳＮＲ、ＳＩＮＲまたは干渉量を利用しても良い。
【００４７】
また、目標受信強度レベルは、移動局装置１００において所望誤り率特性を満たすことができる受信強度レベルに設定するようにしても良い。
【００４８】
また、中継局装置１５０が中継信号を送信するタイミングは、基地局装置２００が移動局装置１００に送信する信号の送信タイミングと重ならないように、あらかじめ基地局装置２００または上位局である図示せぬ制御局により制御されていても良い。
【００４９】
また、中継局装置１５０の選択については、基地局装置２００、上位の制御局装置または移動局装置１００が、受信品質が良好な中継局装置を選択するようにしても良い。
【００５０】
また、サブキャリア毎に電力強度を制御する電力制御部をさらに備えても良い。移動局でのダイバーシティ効果を中継局装置で算出し、所定の目標レベルに達するように電力制御を行っても良い。ダイバーシティ効果の算出方法は、移動局での受信目標レベルから移動局で実際に受信したレベルを減算した強度レベル以上に、選択されたサブキャリア毎の電力レベルが保たれるように制御しても良い。また、減算して得られたサブキャリア毎の電力強度を最低レベルに設定し、そこから一定のマージンを設けて電力強度を高めても良い。また、移動局と中継局との間の伝播路特性に応じて、電力制御しても良い。また、中継局のバッテリー残量に応じて電力レベルを制御しても良い。
【００５１】
また、サブキャリア選択情報は、基地局あるいは移動局から送信され、中継局でそれを受信し、サブキャリア選択情報格納部内で、サブキャリア選択情報として保持しても良い。
【００５２】
また、サブキャリア選択情報の更新は、一定時間毎でも、一定数の中継フレームの受信毎でもよい。
【００５３】
また、サブキャリア選択情報は、中継フレーム毎（単数あるいは複数）に対応して保持しても良い。
【００５４】
また、中継データ抽出部が、サブキャリア選択情報格納部を内包する構成をとってもよい。
【００５５】
（実施の形態２）
本実施の形態では、中継局装置は、移動局装置における基地局装置からの信号の受信品質が低いサブキャリアの信号を、移動局装置における中継局装置からの信号の受信品質が高いサブキャリアを用いて中継する例を示す。
【００５６】
図１０に示すように、本実施の形態に係る移動体通信システムは、移動局装置１００と中継局装置１６０と基地局装置２００とからなる。
【００５７】
次に、図１１に示すシーケンス図を用いて全体処理について説明する。
【００５８】
処理（１）〜（４）は実施の形態１（図２）と同様であり、本実施の形態では、処理（１）〜（４）を複数フレーム分繰り返す。図１１に示す例では、３フレーム分繰り返して
いる。
【００５９】
次に、移動局装置１００は中継局装置１６０から送られた信号の受信品質をレベル化したチャネル情報を生成し、基地局装置２００へ送信する（処理（５））。基地局装置２００は、このチャネル情報も中継局装置１６０へ中継する（処理（６））。中継局装置１６０は、基地局装置２００から受信した信号のうち、チャネル情報にて中継が必要であると指定された複数フレーム分のサブキャリアの移動局装置１００宛ての信号をサブキャリアのマッピングを変更して合成し、フレーム４として移動局装置１００に中継送信する（処理（７））。
【００６０】
図１２〜図１４は本実施の形態における処理概念を説明するための図である。実施の形態１と同様に、受信品質として受信強度レベルを用いる。図１２において、フレーム１〜３は、基地局装置２００が移動局装置１００と中継局装置１６０宛に順次送信したフレーム信号であり、図１４において、フレーム４は、これらのフレーム１〜３のフレーム信号をサブキャリアのマッピングを変更して合成する中継局装置１６０が移動局装置１００に送信するフレーム信号を示す。
【００６１】
図１２（ａ）〜（ｃ）は、図１１の処理（１）のフレーム１〜３を用いて基地局装置２００から送信された信号の移動局装置１００におけるサブキャリア毎の受信強度レベルを示す。また、図１２（ｄ）〜（ｆ）は、図１１の処理（２）のフレーム１〜３を用いて基地局装置２００から送信された信号の中継局装置１６０におけるサブキャリア毎の受信強度レベルを示す。また、図１３は、中継局装置１６０から送信された信号の移動局装置１００におけるサブキャリア毎の受信強度レベルである。図１３に示す受信強度レベルは、フレーム４の通信に先立ちあらかじめ測定され、図１１の処理（５）と処理（６）で送信される。図１４は、図１１の処理（７）のフレーム４を用いて中継局装置１６０が送信する中継信号の、移動局装置１００におけるサブキャリア毎の受信強度レベルを示す。
【００６２】
図１２（ａ）〜（ｃ）に示すように、図１１の処理（１）において、フレーム１では５番目および７番目のサブキャリア、フレーム２では２番目および５番目のサブキャリア、フレーム３では３番目および５番目のサブキャリアが、受信強度レベルが目標受信強度レベルに達しておらず、受信品質が低い。したがって、中継局装置１６０は、基地局装置２００から受信した信号のうち、図１２（ｄ）の５番目および７番目のサブキャリア、図１２（ｅ）の２番目および５番目のサブキャリア、図１２（ｆ）の３番目および５番目のサブキャリアの信号を抽出して中継送信する。
【００６３】
また、中継局装置１６０は、中継局装置−移動局装置間のチャネル情報（図１３）に基づき、受信強度レベルがしきい値に達しているサブキャリア（受信品質が高いサブキャリア）を中継送信に使うサブキャリアとして選択する。図１３では、２番目および６番目以外のサブキャリアの受信品質が高いので、中継局装置１６０は、１番目、３番目、４番目、５番目、７番目、８番目のサブキャリアを中継送信用のサブキャリアとして選択する。中継局装置１６０は、図１４に示すように、図１２（ｄ）、（ｅ）、（ｆ）において抽出された中継信号を、それぞれ異なる中継送信用サブキャリアに割り当て、中継フレームであるフレーム４を生成する。このように、複数回に渡って抽出したサブキャリア信号をそれぞれ異なるサブキャリアに割り当てることにより、中継送信データを一度にまとめて送信することができるので、中継局装置での送信回数を削減でき、送信電力を低減することができる。
【００６４】
図１４では、図１２（ｄ）の５番目、７番目のサブキャリア信号をフレーム４の７番目、８番目のサブキャリアに、図１２（ｅ）の２番目、５番目のサブキャリア信号をフレーム４の４番目、５番目のサブキャリアに、図１２（ｆ）の３番目、５番目のサブキャリア
信号をフレーム４の１番目、３番目のサブキャリアにそれぞれマッピングしている。
【００６５】
図１４に示す例では、マッピング方法として、フレーム４のサブキャリア番号の大きい方から順に、フレーム１、フレーム２、フレーム３の順で、サブキャリア番号の大きい順に割り当てている。なお、サブキャリア番号の小さい方から順に割り当てても良い。
【００６６】
移動局装置１００では、中継フレーム（フレーム４）のどのサブキャリアにどの中継信号（フレーム１〜３）のどのサブキャリアが割り当てられているかに関するマッピング情報を、別途中継局装置１６０から受信する、或いは中継局装置１６０に送信するなどして、あらかじめマッピング方法を共有しておく。
【００６７】
マッピング方法を共有する場合、移動局装置１００と中継局装置１６０は、基地局装置−移動局装置間のチャネル情報と中継局装置−移動局装置間のチャネル情報の二つの情報を共有しているので、中継局装置１６０でどのようにマッピングされるかは、移動局装置１００で推定することが可能である。したがって移動局装置１００は、基地局装置２００から送信された信号と、中継局装置１６０から中継送信された信号を合成することができる。
【００６８】
図１５は本実施の形態に係る中継局装置１６０の構成を示すブロック図である。図６と同一の構成には同一の符号を付し説明を省略する。
【００６９】
チャネル情報抽出部５１では、受信信号のうちチャネル情報を抽出する。抽出されるチャネル情報は、基地局装置２００−移動局装置１００間のチャネル情報と、中継局装置１６０−移動局装置１００間のチャネル情報の二つである。基地局装置２００−移動局装置１００間のチャネル情報は中継サブキャリア選択部５３に入力される。中継局装置１６０−移動局装置１００間のチャネル情報は中継送信サブキャリア選択部５２に入力される。
【００７０】
中継サブキャリア選択部５３では、基地局装置２００―移動局装置１００間のチャネル情報に基づいて、基地局装置２００から移動局装置１００に送信した信号のうち、受信品質が低く中継が必要であるサブキャリアを選択する。そして、中継サブキャリア選択部５３は、中継が必要であるとして選択したサブキャリアの情報を中継データ抽出部３３に入力する。
【００７１】
中継データ抽出部３３は、選択されたサブキャリアの信号を移動局装置１００宛の信号から抽出して中継データを作成する。中継データは中継データバッファ５４に入力されて保存される。
【００７２】
中継データバッファ５４では、中継データの数がある一定数を超える、または、ある一定時間を越えた後、中継データをまとめてサブキャリア割当部３５に入力する。
【００７３】
中継送信サブキャリア選択部５２では、中継局装置１６０−移動局装置１００間のチャネル情報に基づいて、中継局装置１６０−移動局装置１００間における受信品質が高いサブキャリアを選択し、中継送信用サブキャリアと定める。選択された中継送信用サブキャリアの情報は、サブキャリア割当部３５に入力される。サブキャリア割当部３５では、中継データを中継送信用サブキャリアに割り当てる。
【００７４】
次いで、本実施の形態に係る中継処理の動作フローについて図１６を用いて説明する。
【００７５】
まず、ＳＴ（ステップ）１６１では、チャネル情報抽出部５１が、チャネル情報の抽出処理を行う。
【００７６】
ＳＴ１６２では、中継サブキャリア選択部５３が、チャネル情報から、サブキャリアごとに、受信品質が低いかどうか（受信強度レベルが目標受信強度レベル未満かどうか）判定し、受信品質が低いサブキャリアを選択する。そして、ＳＴ１６３において、受信品質が低いサブキャリアが存在するかどうか判断する。ＳＴ１６３において受信品質が低いサブキャリアが存在しない場合、ＳＴ１６７へ進む。一方、ＳＴ１６３において受信品質が低いサブキャリアが存在する場合は、ＳＴ１６４に進む。
【００７７】
ＳＴ１６４では、中継データ抽出部３３が、ＳＴ１６２において選択されたサブキャリアに割り当てられている信号を移動局装置１００宛の信号から抽出する抽出処理を行う。
【００７８】
ＳＴ１６５、１６６、１６７では、中継データバッファ５４における処理を行う。
【００７９】
ＳＴ１６５では、中継データ抽出部３３が、ＳＴ１６４において抽出された中継データを中継データバッファ５４に保存する。
【００８０】
ＳＴ１６６では、中継データバッファ５４において、保存された中継データの数がしきい値と比較され、中継データの数がしきい値より大きければＳＴ１６８へ、しきい値以下であればＳＴ１６７へ進む。
【００８１】
ＳＴ１６７では、中継データバッファ５４において中継データの保存時間が調べられ、保存されている中継データの中で最も古いデータの保存時間が最大保存時間よりも大きければＳＴ１６８へ、最大保存時間以下であれば、次のフレームの受信を待つために、ＳＴ１６１へ戻る。
【００８２】
ＳＴ１６８では、中継送信サブキャリア選択部５２が、中継局装置１６０―移動局装置１００間のチャネル情報から、サブキャリアごとに受信品質を判定し、送信に用いるサブキャリアを決定する。
【００８３】
そして、ＳＴ１６９では、サブキャリア割当部３５がサブキャリアへの割当処理を行う。
【００８４】
このように本実施の形態では、中継局装置１６０―移動局装置１００間の受信特性が良好なサブキャリアを用いて中継局装置１６０が中継するので、移動局装置１００の受信品質を向上でき、さらに、複数フレームの中継信号をまとめて送信することができるので、中継局装置１６０の送信回数を減少できる。よって、中継のために送信アンプを動作させる回数を減少させることができ、中継局装置の消費電力をさらに減少させることができる。
【００８５】
なお、本実施の形態では、中継局装置１６０−移動局装置１００の間の受信品質から生成されるチャネル情報を必要とする。上記説明では、これらのチャネル情報は移動局装置１００から基地局装置２００を経由して送信されるとして説明したが、移動局装置１００から直接中継局装置１６０へ送信されても良い。
【００８６】
また、ＴＤＤ−ＯＦＤＭの場合は、実施の形態１と同様に、基地局装置２００−移動局装置１００間のチャネル情報の代わりに、基地局装置２００で測定した移動局装置１００−基地局装置２００間の受信品質からチャネル情報を生成して基地局装置２００から中継局装置１６０へ直接送信してもよい。また、移動局装置１００−中継局装置１６０間の受信品質から中継局装置１６０−移動局装置１００間のチャネル情報を生成しても良い。このようにチャネル情報を移動局装置１００が生成しない場合、サブキャリアのマッピング
情報を共有するために、中継局装置１６０は移動局装置１００にチャネル情報またはマッピング結果を送信し、移動局装置１００において中継信号がどのサブキャリアに割り当てられたか分かるようにする。
【００８７】
（実施の形態３）
本実施の形態では、複数の中継局装置がそれぞれ担当サブキャリアのみ中継する例を示す。
【００８８】
図１７に示すように、本実施の形態に係る移動体通信システムは、移動局装置１００と、複数の中継局装置１７０−１、１７０−２と、基地局装置２００とからなる。
【００８９】
次に、図１８に示すシーケンス図を用いて全体処理について説明する。基地局装置２００は、移動局装置１００に信号を送信する（処理（１））。このとき、中継局装置１７０−１と中継局装置１７０−２も基地局装置２００が送信した信号を受信する（処理（２）、（３））。次いで、移動局装置１００が、受信品質をレベル化したチャネル情報を生成し、この基地局装置２００−移動局装置１００間のチャネル情報を基地局装置２００に報告する（処理（４））。基地局装置２００は、このチャネル情報を、中継局装置１７０−１と中継局装置１７０−２に通知する（処理（５）、（６））。中継局装置１７０−１と中継局装置１７０−２は、基地局装置２００から受信した信号のうち、チャネル情報に基づいて中継が必要であるとされた各々が担当するサブキャリア（担当サブキャリア）の移動局装置１００宛ての信号を、互いに同期をとって、移動局装置１００に中継送信する（処理（７）、（８））。このように、中継局装置１７０−１と中継局装置１７０−２とが、互いに同期をとって信号を送信することで、移動局装置１００では、中継局装置１７０−１からの信号と中継局装置１７０−２からの信号とを同時期に受信できるので、受信した複数の信号をマージして処理することが可能となり処理効率が向上する。
【００９０】
次に、移動局装置１００および中継局装置１７０−１、１７０−２での受信信号の受信強度レベルを示した例を図１９Ａ〜Ｆに示す。実施の形態１と同様に、受信品質として受信強度レベルを用いる。
【００９１】
図１９Ａは、図１８の処理（１）において、基地局装置２００が送信した信号の移動局装置１００におけるサブキャリア毎の受信強度レベル、図１９Ｂは、図１８の処理（２）において、基地局装置２００が送信した信号の中継局装置１７０−１におけるサブキャリア毎の受信強度レベル、図１９Ｃは、図１８の処理（３）において、基地局装置２００が送信した信号の中継局装置１７０−２におけるサブキャリア毎の受信強度レベル、図１９Ｄは、図１８の処理（７）において、中継局装置１７０−１が送信した信号の移動局装置１００におけるサブキャリア毎の受信強度レベル、図１９Ｅは、図１８の処理（８）において、中継局装置１７０−２が送信した信号の移動局装置１００におけるにおけるサブキャリア毎の受信強度レベル、図１９Ｆは、移動局装置１００における合成後のサブキャリア毎の受信強度レベルをそれぞれ示している。周波数選択性フェージング伝搬路の影響により、サブキャリア毎に受信強度レベルが異なっている。
【００９２】
中継局装置１７０−１は２、４、６、８番目のサブキャリアを、中継局装置１７０−２は１、３、５、７番目のサブキャリアを担当するものとしてあらかじめ設定する。基地局装置２００から移動局装置１００に送信される信号のうち、図１９Ａに示すように２、５、７番目のサブキャリアの受信品質が目標受信強度レベルに達しておらず、受信品質が低い。これらのサブキャリアのうち、中継局装置１７０−１と中継局装置１７０−２は各々、担当サブキャリアの信号を中継する。したがって、中継局装置１７０−１は、図１９Ｄに示すように２番目のサブキャリアを中継し、中継局装置１７０−２は、図１９Ｅに示すように５番目、７番目のサブキャリアを中継する。移動局装置１００では、基地局装置２
００、中継局装置１７０−１、中継局装置１７０−２から移動局装置１００に送信された信号を合成する。
【００９３】
次に、中継局装置１７０−１、１７０−２の構成について説明する。図２０は本実施の形態の形態に係る中継局装置１７０−１および１７０−２の構成を示すブロック図である。中継局装置１７０−１および１７０−２は同一の構成を採る。図６と同一の構成には同一の符号を付し説明を省略する。
【００９４】
担当サブキャリア情報抽出部７２は、各中継局が担当するサブキャリア番号を抽出してサブキャリア選択部７１へ入力する。サブキャリア選択部７１は、担当サブキャリアのうち、チャネル情報に基づいて受信品質が低いサブキャリアを選択し、選択したサブキャリア番号を、中継データ抽出部３３およびサブキャリア割当部３５に入力する。
【００９５】
次いで、本実施の形態に係る中継処理の動作フローについて図２１を用いて説明する。
【００９６】
まず、ＳＴ（ステップ）１７１では、チャネル情報抽出部３１が、チャネル情報の抽出処理を行う。
【００９７】
ＳＴ１７２では、担当サブキャリア情報抽出部７２が、自局が担当するサブキャリア情報の抽出処理を行う。
【００９８】
ＳＴ１７３では、サブキャリア選択部７１が、チャネル情報から、サブキャリアごとに、受信品質が低いかどうか（受信強度レベルが目標受信強度レベル未満かどうか）判定し、受信品質が低いサブキャリアを選択する。そして、ＳＴ１７４において、担当サブキャリアの中に受信品質が低いサブキャリアが存在するかどうか判断する。ＳＴ１７４において受信品質が低いサブキャリアが存在しない場合、中継データ生成処理を終了する。一方、ＳＴ１７４において受信品質が低いサブキャリアが存在する場合は、ＳＴ１７５に進む。
【００９９】
ＳＴ１７５では、中継データ抽出部３３が、ＳＴ１７３において選択されたサブキャリアに割り当てられている信号を移動局装置１００宛の信号から抽出する抽出処理を行う。
【０１００】
ＳＴ１７６では、サブキャリア割当部３５が、ＳＴ１７５において抽出された中継データを、その中継データが基地装置２００からの送信時に割り当てられていたサブキャリアと同じサブキャリアに割り当てる割当処理を行う。
【０１０１】
このように、本実施の形態では、複数の中継局装置によって中継を行うため、一つの中継局装置あたりの送信電力をさらに減少することができる。
【０１０２】
なお、中継する担当サブキャリアは、基地局装置２００または上位の制御局装置が定めて各中継局装置１７０−１、１７０−２に通知しても良いし、移動局装置１００が定めて各中継局装置１７０−１、１７０−２に通知してもよい。また、担当サブキャリアは固定的に定めてもよいし、中継局装置１７０−１における受信品質と中継局装置１７０−２における受信品質とをサブキャリアごとに比較して、各サブキャリア毎に受信品質がより高い方に担当させるようにしても良い。
【０１０３】
また、各中継局装置での中継では、各中継局装置が同期をとらずに別々のタイミングで送信してもよい。
【０１０４】
また、実施の形態２のように、中継時のサブキャリアを受信品質が高いサブキャリアに
交換してもよい。
【０１０５】
（実施の形態４）
本実施の形態では、複数の中継局装置が中継を行い、それら複数の中継局装置のうち、少なくとも一つの中継局装置が、基地局装置から受信したサブキャリアすべてを中継し、その他の中継局装置は、移動局装置における受信品質が低い一部のサブキャリアを補助的に中継する例を示す。
【０１０６】
図２２に示すように、本実施の形態に係る移動体通信システムは、移動局装置１００と、複数の中継局装置１８０−１、１８０−２と、基地局装置２００とからなる。
【０１０７】
次に、図２３に示すシーケンス図を用いて全体処理について説明する。
【０１０８】
基地局装置２００は、中継局装置１８０−１および中継局装置１８０−２にフレーム１の信号を送信する（処理（１）、（２））。中継局装置１８０−１と１８０−２は、基地局装置２００から受信したフレーム１の信号を移動局装置１００に同時に中継する（処理（３）、（４））。移動局装置１００は、移動局装置１００における中継局１８０−１からの信号のチャネル情報を中継局１８０−２に送信する（処理（５））。次に基地局装置２００は、中継局装置１８０−１および中継局装置１８０−２にフレーム２の信号を送信する（処理（６）、（７））。中継局装置１８０−１は、フレーム２の信号を移動局装置１００に送信する（処理（８））。中継局装置１８０−２は、フレーム１における中継局装置１８０−１と移動局装置１００との間のチャネル情報に基づいて、受信品質が低いサブキャリアのみを移動局装置１００に送信する（処理（９））。
【０１０９】
次に、移動局装置１００および中継局装置１８０−１、１８０−２での受信信号の受信強度レベルを示した例を図２４Ａ〜Ｆに示す。実施の形態１と同様に、受信品質として受信強度レベルを用いる。
【０１１０】
図２４Ａは、図２３の処理（１）において、基地局装置２００が送信した信号の中継局装置１８０−１におけるサブキャリア毎の受信強度レベル、図２４Ｂは、図２３の処理（２）において、基地局装置２００が送信した信号の中継局装置１８０−２におけるサブキャリア毎の受信強度レベル、図２４Ｃは、図２３の処理（３）において、中継局装置１８０−１から送信した信号の移動局装置１００における受信強度レベル、図２４Ｄは、図２３の処理（４）において、中継局装置１８０−２から送信した信号の移動局装置１００における受信強度レベル、図２４Ｅは、中継局装置１８０−１からの信号と中継局装置１８０−２からの信号とを移動局装置１００が受信したときの受信強度レベル、図２４Ｆは、中継局装置１８０−１のみの中継信号を移動局装置１００が受信したときの受信強度レベルをそれぞれ示している。
【０１１１】
図２４Ｅに示すように、中継局装置１８０−１からの信号と中継局装置１８０−２からの信号を移動局装置１００が受信すると、受信強度に中継局装置１８０−２からの信号の受信強度が含まれるので、すべてのサブキャリアの中継を行う中継局装置１８０−１の信号のうち、どのサブキャリアの受信品質が悪いのか正しく判定することができない。そこで、本実施の形態では、図２３の処理（５）において受信するチャネル情報として、図２４Ｆに示すような中継局装置１８０−１のみの受信品質を測定する。この測定を行うためにパイロット信号を二種類生成する。一方のパイロットは中継局装置１８０−２の中継信号を多重しないパイロットであり、他方のパイロットは中継局装置１８０−２の中継信号を多重するパイロットである。
【０１１２】
図２５に、本実施の形態に係る二種類のパイロット信号を示す。この図では、１フレー
ム目のパイロットには中継局装置１８０−２の中継信号のパイロットが多重されておらず、２フレーム目のパイロットのうち中継局装置１８０−２の中継信号を送信するサブキャリアにのみ中継局装置１８０−２の中継信号のパイロットが多重されている。移動局装置１００は、１フレーム目のパイロットから、図２３の処理（５）において受信する中継局装置１８０−１−移動局装置１００間のチャネル情報を生成する。また移動局装置１００は、２フレーム目のパイロットを用いて移動局装置１００におけるチャネル推定を行う。
【０１１３】
次に、補助的に中継を行う中継局装置１８０−２の構成について説明する。図２６は本実施の形態に係る中継局装置１８０−２の構成を示すブロック図である。図６と同一の構成には同一の符号を付し説明を省略する。
【０１１４】
サブキャリア選択部６１は、チャネル情報に基づいて受信品質が低いサブキャリアを選択し、選択したサブキャリア番号を、中継データ抽出部３３、パイロット選択部６２およびサブキャリア割当部６３に入力する。パイロット選択部６２は、所定の周期または所定のタイミングで、パイロット信号を挿入するか否かを選択する。パイロット信号を挿入する場合、パイロット信号がサブキャリア割当部６３に入力される。
【０１１５】
次いで、本実施の形態に係る中継処理の動作フローについて図２７を用いて説明する。
【０１１６】
まず、ＳＴ（ステップ）１８１では、チャネル情報抽出部３１が、チャネル情報の抽出処理を行う。
【０１１７】
ＳＴ１８２では、サブキャリア選択部６１が、チャネル情報から、サブキャリアごとに、受信品質が低いかどうか（受信強度レベルが目標受信強度レベル未満かどうか）判定し、受信品質が低いサブキャリアを選択する。そして、ＳＴ１８３において、受信品質が低いサブキャリアが存在するかどうか判断する。ＳＴ１８３において受信品質が低いサブキャリアが存在しない場合、中継データ生成処理を終了する。一方、ＳＴ１８３において受信品質が低いサブキャリアが存在する場合は、ＳＴ１８４に進む。
【０１１８】
ＳＴ１８４では、中継データ抽出部３３が、ＳＴ１８２において選択されたサブキャリアに割り当てられている信号を移動局装置１００宛の信号から抽出する抽出処理を行う。
【０１１９】
ＳＴ１８５では、パイロット選択部６２が、パイロット信号を挿入する周期かどうか判定し、パイロット信号を挿入する周期であれば、ＳＴ１８６に進み中継送信を行うサブキャリアにパイロット信号を挿入する。一方、ＳＴ１８５においてパイロット信号を挿入する周期でなければＳＴ１８７に進む。
【０１２０】
ＳＴ１８７では、サブキャリア割当部６３が、ＳＴ１８４において抽出された中継データと、パイロット信号とをサブキャリアに割り当てる割当処理を行う。
【０１２１】
このように、本実施の形態では、中継局装置１８０−２からの中継信号を多重するパイロット信号と多重しないパイロット信号の双方を移動局装置１００が受信するため、移動局装置１００は、中継局装置１８０−１のみの受信品質を推定することができる。よって、中継するサブキャリアを、中継局装置１８０−１からの信号の移動局装置１００における受信品質が低いサブキャリアに限定できるので、全てのサブキャリアを中継する場合と比較して、中継局装置１８０−２の送信電力を減少することができる。
【０１２２】
なお、ＴＤＤ−ＯＦＤＭでは、中継局装置１８０−１および１８０−２は、移動局装置１００からの上りリンクの受信品質から中継局装置１８０−１、１８０−２と移動局装置１００と間の受信品質を推定できるので、本実施の形態のようにパイロットを用いなくて
もよい。
【０１２３】
また、図２８に示すように、図２５において中継局装置１８０−１のパイロットと中継局装置１８０−２のパイロットとを多重して送信していた部分において、中継局装置１８０−２のみのパイロットを送信するようにしてもよい。この場合、中継局装置１８０−１と中継局装置１８０−２は、中継局装置ごとにチャネル情報を得ることができる。
【０１２４】
また、中継局装置１８０−２は一つの移動局装置に限らず、複数でもよい。
【０１２５】
また、パイロット信号の多重周期については、１フレーム内で何シンボルか毎に交互に行っても良いし、何フレームか毎に切り替えても良い。
【０１２６】
なお、上記各実施の形態においては、中継局装置が基地局装置と直接通信を行っている場合を例にとって説明したが、これに限定されず、中継局装置と基地局装置との間にさらに他の中継局装置を介しても良い。
【０１２７】
また、第一の通信装置が基地局装置であり、第二の通信装置が移動局装置である例で説明をしたが、第一の通信装置が移動局装置であり、第二の通信装置が基地局装置であっても良いし、第一の通信装置と第二の通信装置が共に移動局装置であっても良い。
【０１２８】
また、基地局装置、中継局装置、移動局装置は、各々電力制御を行っても良い。
【０１２９】
また、上記各実施の形態では、本発明をハードウェアで構成する場合を例にとって説明したが、本発明はソフトウェアで実現することも可能である。
【０１３０】
また、上記各実施の形態の説明に用いた各機能ブロックは、典型的には集積回路であるＬＳＩとして実現される。これらは個別に１チップ化されても良いし、一部または全てを含むように１チップ化されても良い。ここでは、ＬＳＩとしたが、集積度の違いにより、ＩＣ、システムＬＳＩ、スーパーＬＳＩ、ウルトラＬＳＩと呼称されることもある。
【０１３１】
また、集積回路化の手法はＬＳＩに限るものではなく、専用回路または汎用プロセッサで実現しても良い。ＬＳＩ製造後に、プログラムすることが可能なＦＰＧＡ（Ｆｉｅｌｄ
Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサーを利用しても良い。
【０１３２】
さらには、半導体技術の進歩または派生する別技術によりＬＳＩに置き換わる集積回路化の技術が登場すれば、当然、その技術を用いて機能ブロックの集積化を行っても良い。バイオ技術の適応等が可能性としてありえる。
【０１３３】
本明細書は、２００４年９月２９日出願の特願２００４−２８５４６８に基づくものである。この内容はすべてここに含めておく。
【産業上の利用可能性】
【０１３４】
本発明に係る無線通信装置は、第一の無線通信装置から第二の無線通信装置宛の信号の中継をする場合、消費電力の増加を抑える効果を有し、中継動作を伴うシステム、例えば、マルチホップシステム等の用途に適用することができる。
【図面の簡単な説明】
【０１３５】
【図１】実施の形態１に係る移動体通信システムの構成図
【図２】実施の形態１に係るシーケンス図
【図３Ａ】実施の形態１に係るサブキャリア毎の受信強度レベルの例を示す図
【図３Ｂ】実施の形態１に係るサブキャリア毎の受信強度レベルの例を示す図
【図３Ｃ】実施の形態１に係るサブキャリア毎の受信強度レベルの例を示す図
【図３Ｄ】実施の形態１に係るサブキャリア毎の受信強度レベルの例を示す図
【図４】実施の形態１に係る移動局装置の構成を示すブロック図
【図５】実施の形態１に係る移動局装置のチャネル情報生成処理のフロー図
【図６】実施の形態１に係る中継局装置の構成を示すブロック図
【図７】実施の形態１に係る中継局装置の中継処理のフロー図
【図８】実施の形態１に係る基地局装置の構成を示すブロック図
【図９】実施の形態１に係る基地局装置の中継処理のフロー図
【図１０】実施の形態２に係る移動体通信システムの構成図
【図１１】実施の形態２に係るシーケンス図
【図１２】実施の形態２に係るサブキャリア毎の受信強度レベルの例を示す図
【図１３】実施の形態２に係るサブキャリア毎の受信強度レベルの例を示す図
【図１４】実施の形態２に係るサブキャリア毎の受信強度レベルの例を示す図
【図１５】実施の形態２に係る中継局装置の構成を示すブロック図
【図１６】実施の形態２に係る中継局装置の中継処理のフロー図
【図１７】実施の形態３に係る移動体通信システムの構成図
【図１８】実施の形態３に係るシーケンス図
【図１９Ａ】実施の形態３に係るサブキャリア毎の受信強度レベルの例を示す図
【図１９Ｂ】実施の形態３に係るサブキャリア毎の受信強度レベルの例を示す図
【図１９Ｃ】実施の形態３に係るサブキャリア毎の受信強度レベルの例を示す図
【図１９Ｄ】実施の形態３に係るサブキャリア毎の受信強度レベルの例を示す図
【図１９Ｅ】実施の形態３に係るサブキャリア毎の受信強度レベルの例を示す図
【図１９Ｆ】実施の形態３に係るサブキャリア毎の受信強度レベルの例を示す図
【図２０】実施の形態３に係る中継局装置の構成を示すブロック図
【図２１】実施の形態３に係る中継局装置の中継処理のフロー図
【図２２】実施の形態４に係る移動体通信システムの構成図
【図２３】実施の形態４に係るシーケンス図
【図２４Ａ】実施の形態４に係るサブキャリア毎の受信強度レベルの例を示す図
【図２４Ｂ】実施の形態４に係るサブキャリア毎の受信強度レベルの例を示す図
【図２４Ｃ】実施の形態４に係るサブキャリア毎の受信強度レベルの例を示す図
【図２４Ｄ】実施の形態４に係るサブキャリア毎の受信強度レベルの例を示す図
【図２４Ｅ】実施の形態４に係るサブキャリア毎の受信強度レベルの例を示す図
【図２４Ｆ】実施の形態４に係るサブキャリア毎の受信強度レベルの例を示す図
【図２５】実施の形態４に係るパイロット信号を示す図
【図２６】実施の形態４に係る中継局装置の構成を示すブロック図
【図２７】実施の形態４に係る中継局装置の中継処理のフロー図
【図２８】実施の形態４に係るパイロット信号を示す図
【図１】
0004647613.tif 000002
【図２】
0004647613.tif 000003
【図３Ａ】
0004647613.tif 000004
【図３Ｂ】
0004647613.tif 000005
【図３Ｃ】
0004647613.tif 000006
【図３Ｄ】
0004647613.tif 000007
【図４】
0004647613.tif 000008
【図５】
0004647613.tif 000009
【図６】
0004647613.tif 000010
【図７】
0004647613.tif 000011
【図８】
0004647613.tif 000012
【図９】
0004647613.tif 000013
【図１０】
0004647613.tif 000014
【図１１】
0004647613.tif 000015
【図１２】
0004647613.tif 000016
【図１３】
0004647613.tif 000017
【図１４】
0004647613.tif 000018
【図１５】
0004647613.tif 000019
【図１６】
0004647613.tif 000020
【図１７】
0004647613.tif 000021
【図１８】
0004647613.tif 000022
【図１９Ａ】
0004647613.tif 000023
【図１９Ｂ】
0004647613.tif 000024
【図１９Ｃ】
0004647613.tif 000025
【図１９Ｄ】
0004647613.tif 000026
【図１９Ｅ】
0004647613.tif 000027
【図１９Ｆ】
0004647613.tif 000028
【図２０】
0004647613.tif 000029
【図２１】
0004647613.tif 000030
【図２２】
0004647613.tif 000031
【図２３】
0004647613.tif 000032
【図２４Ａ】
0004647613.tif 000033
【図２４Ｂ】
0004647613.tif 000034
【図２４Ｃ】
0004647613.tif 000035
【図２４Ｄ】
0004647613.tif 000036
【図２４Ｅ】
0004647613.tif 000037
【図２４Ｆ】
0004647613.tif 000038
【図２５】
0004647613.tif 000039
【図２６】
0004647613.tif 000040
【図２７】
0004647613.tif 000041
【図２８】
0004647613.tif 000042